(57)【特許請求の範囲】
【請求項１】
所定数の遊技球を遊技機内に封入し、これら封入された遊技球を弾発して遊技盤の遊技領域中に発射する弾発装置と、発射位置に遊技球を１個ずつ送る球送り装置と、該遊技盤に設けられた入賞口に入賞した遊技球及び該入賞口に入賞せずに遊技盤表面下部のアウト口に流入した遊技球を前記球送り装置へ送る流路とを備え、前記封入された遊技球が前記遊技領域および前記流路を通って循環される弾球遊技機において、
前記封入された遊技球を研磨する研磨装置を前記流路の近傍に着脱可能に設け、
前記流路には、
遊技球を前記研磨装置へ排出可能な排出部と、遊技球が前記研磨装置から進入可能な進入部と、前記研磨装置の取り付け取り外し時に、球がこぼれるのを防止する球こぼれ防止手段と、を備え、
前記研磨装置は、
前記排出部からの遊技球が導入される導入口と、前記流路の進入部へ遊技球を進入させる排出口と、前記導入口から遊技球を導入して前記排出口から排出可能な流入経路と、遊技球を該流入経路上で研磨する研磨手段と、前記導入口の外周部に沿って外方に突出した導入片と、を有し、
前記球こぼれ防止手段は、
前記流路に沿った配置でバネ材を介して取り付けられ、前記排出部の一部を遮断して、遊技球が外部へ排出されないようにするシャッター部材であり、
前記シャッター部材は、
前記研磨装置の非装着時には、遮断することにより前記流路と一体になって遊技球を該流路の上流側から下流側に送り、前記研磨装置の装着時には、該研磨装置の導入片に押されて、前記排出部の遮断を解いて、前記研磨装置の導入口への遊技球の排出を妨害しないようにすることを特徴とする弾球遊技機。
【発明の詳細な説明】
【０００１】
【発明の属する技術分野】
この発明は、遊技球が発射されて遊技の行われる遊技領域と、この遊技領域とは別に遊技球が通過する流路とを備え、遊技球が前記遊技領域および前記流路を通って循環される弾球遊技機に関する。
【０００２】
【従来の技術】
遊技球が発射されて遊技の行われる遊技領域と、この遊技領域とは別に遊技球が通過する流路とを備え、遊技球が前記遊技領域および前記流路を通って循環される弾球遊技機として、例えば、パチンコ遊技機、パチコン機、アレンジボール遊技機、雀球遊技機、並びに、封入球式弾球遊技機などが一般に知られている。
【０００３】
これらの弾球遊技機の内、パチンコ遊技機、パチコン機、アレンジボール遊技機、並びに、雀球遊技機などは、一般に、複数が連なって島設備を構成し、この島設備において遊技球が循環されるのが通常であった。即ち、各弾球遊技機に補給される遊技球を一時的に貯留する球補給タンク、この補給タンクから各弾球遊技機に遊技球を補給する球補給樋、各弾球遊技機の遊技領域に発射された遊技球を回収する球回収樋、および、回収した遊技球を球補給タンクまで揚送する球揚送装置等からなる遊技球の循環設備を、島設備に設けて遊技球を循環させている。
【０００４】
以前より、遊技球に発生する錆などを落とすために遊技球を磨く研磨装置が知られている。このような研磨装置は、例えば、上記遊技球の循環設備の球循環経路上に備えられるのが一般的であった。
【０００５】
【発明が解決しようとする課題】
ところで、最近では、１台の弾球遊技機で１つの島設備を構成する所謂単独島などが知られている。また、予め定められた所定個数の遊技球を遊技機内に封入し、この封入した遊技球を遊技盤面上に設けられた遊技領域内に発射することで遊技を行う封入球式弾球遊技機も知られている。
【０００６】
上記の封入球式弾球遊技機によれば、封入球式でない弾球遊技機に対して設置しなければならない球回収樋、球揚送装置、球補給タンク、球補給樋、球研磨装置などを備えた大がかりな遊技球の循環設備が不要になると共に、大量の遊技球を用意しなくても遊技が可能であるといった利点がある。それにより、遊技店内の諸設備を大量の遊技球の重量に耐え得る構造にする必要もなくなり、設備費用がかさむという欠点が解消される。
【０００７】
しかしながら、上記の単独島を構成する弾球遊技機や封入球式弾球遊技機では、遊技球が単独島あるいは１台の遊技機の中で循環されるので、従来のように循環設備で球磨きを行うことが出来なかった。それ故、単独島を構成する弾球遊技機や封入球式弾球遊技機の遊技球を磨く場合には、球研磨装置を備えた循環設備まで遊技球を運んで球磨きを行うといった繁雑な作業が必要であり、更に、営業時間とは別に球磨きの時間を設けなくてはならないという問題があった。
【０００８】
このような問題を解決するために、弾球遊技機１台毎に研磨装置を備えることも考えられるが、このような研磨装置付きの弾球遊技機を従来の島設備に設置すると、遊技球が島設備の研磨装置と弾球遊技機の研磨装置とで２回研磨されることとなり、研磨過剰という問題を生じさせる。
【０００９】
また、封入球式弾球遊技機では、遊技球が外部に出ないので要求される研磨回数は少ないのであるが、遊技球が循環する期間が短いので、その分、研磨装置を通る回数も多くなり、過剰に研磨が行われるという問題を生じさせる。
【００１０】
この発明は、上記実状に鑑みてなされたもので、弾球遊技機単体でも容易に遊技球の研磨が行えると共に、研磨を必要としない状況にも対応可能な弾球遊技機を提供することを目的としている。
【００１１】
【課題を解決するための手段】
上記課題を解決するため、
請求項１記載の発明は、所定数の遊技球を遊技機内に封入し、これら封入された遊技球を弾発して遊技盤の遊技領域中に発射する弾発装置と、発射位置に遊技球を１個ずつ送る球送り装置と、該遊技盤に設けられた入賞口に入賞した遊技球及び該入賞口に入賞せずに遊技盤表面下部のアウト口に流入した遊技球を前記球送り装置へ送る流路とを備え、前記封入された遊技球が前記遊技領域および前記流路を通って循環される弾球遊技機において、
前記封入された遊技球を研磨する研磨装置を前記流路の近傍に着脱可能に設け、
前記流路には、
遊技球を前記研磨装置へ排出可能な排出部と、遊技球が前記研磨装置から進入可能な進入部と、前記研磨装置の取り付け取り外し時に、球がこぼれるのを防止する球こぼれ防止手段と、を備え、
前記研磨装置は、
前記排出部からの遊技球が導入される導入口と、前記流路の進入部へ遊技球を進入させる排出口と、前記導入口から遊技球を導入して前記排出口から排出可能な流入経路と、遊技球を該流入経路上で研磨する研磨手段と、前記導入口の外周部に沿って外方に突出した導入片と、を有し、
前記球こぼれ防止手段は、
前記流路に沿った配置でバネ材を介して取り付けられ、前記排出部の一部を遮断して、遊技球が外部へ排出されないようにするシャッター部材であり、
前記シャッター部材は、
前記研磨装置の非装着時には、遮断することにより前記流路と一体になって遊技球を該流路の上流側から下流側に送り、前記研磨装置の装着時には、該研磨装置の導入片に押されて、前記排出部の遮断を解いて、前記研磨装置の導入口への遊技球の排出を妨害しないようにする構成とした。
【００１２】
この請求項１記載の発明によれば、上記の研磨装置を弾球遊技機の流路の所定区間近傍に取り付けることで、流路の所定区間に研磨装置の流入経路が割り込んで流路の所定区間外と研磨装置の流入経路が連通する。この状態で、遊技が行われると、循環する遊技球が弾球遊技機の流路および研磨装置の流入経路を通過して、研磨手段に研磨される。つまり、研磨装置を取り付けることで、遊技中に遊技球の研磨を行うことが出来る。
【００１３】
一方、研磨装置を弾球遊技機から取り外すことで、研磨装置の流入経路は弾球遊技機の流路から切りはずされ、且つ、弾球遊技機の流路が一続きになる。この状態で、遊技が行われると、循環する遊技機球は研磨手段の流入経路を通過せずに、弾球遊技機の遊技領域と流路とを通過して循環する。即ち、研磨装置を取り外すことで、遊技球を研磨しないまま遊技球を循環できる。
【００１４】
従って、弾球遊技機単体でも遊技球の研磨が可能であると共に、研磨装置を取り外して遊技球の研磨が必要ない場合にも対応可能である。例えば、単独島に設置される弾球遊技機や封入球式弾球遊技機に適用すれば、従来の遊技球を弾球遊技機から取り出し搬送して研磨装置にかけるといった繁雑な作業を行うことなく、且つ、営業時間中であっても遊技球の研磨が可能となり大変便利である。また、研磨装置は取り外し可能で遊技球の研磨が行われないようにも出来るので、研磨の過剰を回避することが可能となり、例えば、封入球式弾球遊技機など要求される研磨回数が少ない遊技機に対しても有用である。
【００１５】
ここで、前記研磨装置が取り付けられてない状態で前記流路は一続きになり、前記研磨装置が取り付けられた状態で、前記流路の所定区間に前記研磨装置の流入経路が割り込んで前記流路の所定区間外と前記流入経路とが連通する構成とは、流路の所定区間を取り外し、該所定区間に研磨装置の流入経路を挿入し割り込ませる構成としても良いし、遊技球を外部に排出可能な排出部および外部から進入可能な進入部を流路上に設け、研磨装置を取り付けたときに前記排出部および進入部を介して遊技球が研磨装置の流入経路に流入・通過する構成としても良い。その他、当該構成は、研磨装置の取り付け取り外しの状態により、上記流路が一続きとなったり上記流路の所定区間外と流入経路とが連通する構成であれば、どの様な形式の構成としても良い。研磨装置の着脱可能な取付け構造は、例えば爪型の係止片とこの係止片を係合可能な係合部との係合による接続構造、ネジやビスなどによる止着構造、所謂ナイラッチなどのワンタッチで取り付け可能な形式の取付け構造など、従来ある種々の着脱可能な取付け構造が適用可能である。また、研磨装置の取付け箇所は弾球遊技機の裏側でも正面側でも良い。
【００１６】
なお、単独島とは、正面に遊技機と球貸し手段を設けると共に、遊技機の球受け皿下部に遊技球の計数装置を具備し、遊技機の背部側のユニット内部に該ユニットに投入された遊技球を貯留し、且つ、貯留した遊技球をユニット内の揚送手段により循環還流させるようにした設備のことである。
【００２０】
また、上記球こぼれ防止手段により、研磨装置の取り付け取り外し時に流路からの遊技球のこぼれが防止されるので、流路に遊技球が流れている時、即ち、弾球遊技機で遊技が行われている最中であっても、研磨装置の取り付け取り外しが可能となる。従って、遊技中の研磨装置を交換する場合でも、遊技者に遊技を一旦中断させるといった煩わしさを与えずに交換することが可能となる。
【００２１】
ここで、球こぼれ防止手段は、例えば、上記流路の所定区間の上流側に流路を遮るシャッター手段、或いは、流路に設けられた排出部および進入部を遮断するシャッター手段などにより構成可能である。また、研磨装置を取り付けることで前記シャッター手段が自動的に開くように構成しても良く、そうすることで研磨装置の取り付け作業性が向上する。なお、球こぼれ防止手段は、研磨装置の取り付け取り外し時に球こぼれを防止できれば、どの様な構成としても良い。
【００３６】
【発明の実施の形態】
以下、この発明の実施の形態について、図面を参照しながら説明する。
【００３７】
図１には、この発明の実施の形態の遊技機として封入球式弾球遊技機１００の正面斜視図を、図２には、この封入球式弾球遊技機１００の裏機構を示す裏面図を示す。
【００３８】
この実施の形態の封入球式弾球遊技機１００は、遊技盤１０４上に設けられた遊技領域内に遊技球を発射して遊技を行うもので、遊技中、遊技球は、この遊技領域と裏機構に設けられた樋（セーフ球回収樋１３１、アウト球回収樋１３０、循環樋１５０など）を通って循環するようになっている。この封入球弾球遊技機１００は、外枠１０２に開閉可能に填められた内枠１０３の前面側に、遊技盤１０４、ガラス枠１１９、研磨装置情報の報知手段としての研磨情報報知装置１０８、ガラス枠開閉鍵１０９、内枠開閉鍵１１０、遊技上の操作を行う操作部１１２、および、球発射用の操作ハンドル１１８などが設けられる一方、裏側には（図２）、研磨装置情報出力手段としての外部端子１７０、球寄せ１２９、アウト球回収樋１３０、アウトセンサ１３５、セーフ球回収樋１３１、セーフセンサ１３４、循環樋１５０、研磨装置４００、球送り装置１３７、弾発装置１３９、弾発杆１４０、封入球充填装置１３３、封入球制御装置１４５、封入球循環制御装置３００、リセットスイッチ３１１、島・封切換スイッチ３１２、並びに、表示器（ＬＥＤ：Light Emitting Diode）３１３等が設けられている。また、この封入球式弾球遊技機１００の横には遊技カードを処理する遊技カード処理装置２００が備わっている。
【００３９】
遊技盤１０４には、遊技球が流入可能な複数の入賞口（図示省略）やアウト口１０７、弾発された遊技球を遊技領域中に導くガイドレール１０６，１０６などが設けられ、遊技球が入賞口に入賞することで獲得球数が上がり、入賞せずにアウト口１０７に流入することで獲得球なしのまま遊技球が回収されるようになっている。
【００４０】
操作レバー１１８は遊技球の発射操作を行うもので、該操作レバー１１８を回動操作することで弾発装置１３９（図２）の弾発杆１４０が回動駆動され、球送り装置１３７により１個ずつ発射位置まで送られた遊技球を弾発して遊技領域中に発射するようになっている。
【００４１】
研磨情報報知装置１０８は、本発明の特徴であり、例えば、表示ランプやスピーカーを備え、表示出力、音（音声）出力などにより、研磨装置４００に関わる情報を報知するようになっている。研磨装置４００に関わる情報としては、研磨装置４００が取り付けられているか否かを示す研磨装置有無情報、研磨装置４００内で遊技球が詰まったことを示す研磨装置球つまり情報、並びに、研磨装置４００内の研磨部材６２（図３）の交換時期を示す研磨装置交換時期情報などがある。この研磨情報報知装置１０８は封入球式弾球遊技機１００の上部に設けられている。
【００４２】
操作部１１２には、表示部１１３、球貸しスイッチ１１４、中断スイッチ１１５、カード返却スイッチ１１６、および、介入スイッチ１１７等が設けられ、各種のスイッチを操作することで、遊技カードの有価情報に基づき遊技球の貸出しを行ったり、遊技カードの排出を行ったりするようになっている。表示部１１３には、遊技カードに記憶された有価情報の残度や、遊技で得られた出玉（獲得球）の数などが表示されるようになっている。
【００４３】
封入球充填装置１３３や封入球制御装置１４５（図２）は、弾球遊技機１００内に循環させる遊技球の量を調整・制御を行うものである。
【００４４】
球寄せ１２９は、遊技盤１０４上の入賞口に流入した遊技球（入賞球）を裏側で集めてセーフ球回収樋１３１に送り、セーフ球回収樋１３１は、該遊技球をセーフセンサ１３４で１個ずつ検出して循環樋１５０に送るようになっている。アウト球回収樋１３０は、遊技盤１０４表面下部のアウト口１０７に流入した遊技球をアウトセンサ１３５で１個ずつ検出して循環樋１５０に送るものである。
【００４５】
循環樋１５０は、遊技球が通過する流路１５（図３）を備え、セーフ球回収樋１３１やアウト球回収樋１３０から送られた遊技球を球送り装置１３７に送るようになっている。この循環樋１５０には、研磨装置４００が着脱可能に取り付けられるようになっており、流路１５上には遊技球を外部に排出可能な排出部１７と、外部から遊技球が進入可能な進入部１８とが設けられている。これら排出部１７と進入部１８については後に詳述する。また、この循環樋１５０には、研磨装置４００が取り付けられているか否かを検出する研磨装置検出センサ２２や、研磨装置４００に電源を入力したり信号の送受信を行うための第２電気的接続部としての接続端子部２３（図４）が設けられている。
【００４６】
図３には、研磨装置４００が循環樋１５０から分離された状態を示す分離斜視図を、図４には研磨装置４００の取付け構造の詳細を示す分解斜視図を、図５には循環樋１５０上の排出部１７および研磨装置４００の導入部４２の詳細図（（ａ）はそれらを正面側からみた配置関係を示す正面図、（ｂ）は研磨装置４００が分離した状態の側方図、（ｃ）は研磨装置４００が取り付けられた状態の側方図）を、図６には研磨装置４００内に設けられた研磨機構（スプロケット５０や研磨布材６２…等々）の詳細図を示す。
【００４７】
研磨装置４００は、循環樋１５０の流路１５の所定区間に割り込んで、流路１５上を流れる遊技球を研磨装置４００中に迂回させ、この迂回中の該遊技球を磨くものであり、導入口４２、導入片４２Ａ、排出口４３、送出片４３Ａ、流入経路４５、球つまり検出センサ５８、駆動装置４８、スプロケット５０、研磨布６２、巻取りリール６６、リール６７、プーリー６３，６４（図６）、交換時期検出手段としての終端検出部７０、第１電気的接続部としての接続端子部６８、取付け部５９，５９、並びに、カセット６０等から構成される。
【００４８】
この研磨装置４００は取付け部５９，５９を、循環樋１５０のネジ孔２０，２０にネジ止着することで着脱可能に取り付けられるものである。なお、研磨装置４００の取付け手段は、ネジ止着に限られず、例えば、係止爪を有する係止片を該係止爪を掛け止め可能な係合部に挿入することで取り付けられる着脱可能な取付け構造、ビス止による着脱可能な取付け構造、或いは、所謂ナイラッチなどのワンタッチで取付け取り外し可能な取付け構造など、様々な形式が適用可能である。
【００４９】
スプロケット５０は、駆動装置４８の駆動により回転して、流入経路４５の上流に送られてきた遊技球を１個ずつ収容部５０ａ，５０ａ…に収容して順次下流に送るものである。スプロケット５０の下流側には、収容部５０ａに収容された遊技球を、スプロケット５０の上方に移動しないように、強制的に排出させる排出片５４が設けられている。
【００５０】
研磨布６２は、帯状の布に研磨材を塗布してなるもので、リール６７からプーリー６４，６３を介して巻取りリール６６に巻取られるようになっている。巻取りリール６６は、図示しない駆動により低速で回転駆動されている。プーリー６３，６４は、スプロケット５０の下方側、流入経路４５の上流側と下流側にそれぞれ設けられており、研磨布６２は、これらプーリー６３，６４に架けられて、スプロケット５０により送られる遊技球を下方側で包み保持する状態となり、スプロケット５０の回転により遊技球が送られながら該遊技球が磨かれるようになっている。スプロケット５０と研磨布６２との下方には、遊技球の重みで研磨布６２が垂れ下がらないように、研磨布６２を保持する保持部材５５（例えば弾性や可撓性を有する部材）が設けられている。
【００５１】
カセット６０は、リール６７や巻取りリール６６など研磨布６２が架けられた部位をユニット化したもので、研磨装置４００の本体から取り外し可能な構成になっている。つまり、このカセット６０を新しいものと交換することで、研磨布６２の交換を簡易に行えるようになっている。
【００５２】
終端検出部７０は、遮光板７２、フォトセンサ７３、補助ローラー７１ａ，７１ｂ等から構成され、リール６７の研磨布６２が全て巻取りリール６６に巻き取られた場合に、この状態を研磨布６２の交換時期として検出するものである。球つまり検出センサ５８は、流入経路４５上の遊技球のつまりを検出するものである。
【００５３】
図４にも示すように、導入片４２Ａは、導入口４２の外周部のほぼ半周に沿って外方に突出した片状の部材で、循環樋１５０に設けられた排出部１７に挿入されて流路１５の遊技球を導入口４２に導くようになっている。送出片４３Ａも同様の片状の部材で、循環樋１５０に設けられた進入部１８に挿入されて研磨装置４００の流入経路４５から流路１５の下流側に遊技球を送出するようになっている。
【００５４】
図５に示すように、循環樋１５０の排出部１７の排出口は流路１５から僅かにずれた位置に形成され、その排出部１７には、排出部１７の一部を遮断して、遊技球が外部に排出されるのを遮断する球こぼれ防止手段としてのシャッター部材１７Ａが設けられている。このシャッター部材１７Ａは流路１５に沿った配置でバネ材１７ａを介して取り付けられており、研磨装置４００の非装着時には、流路１５と一体になって遊技球を流路１５の上流側から下流側に送ると共に、排出部１７の排出口の一部を遮断して外部に遊技球が排出されないようにするが、研磨装置４００の装着時には、研磨装置４００の導入片４２Ａに押されて排出部１７の排出口の遮断を解き、導入口４２への遊技球の排出を妨害しないようになっている。
【００５５】
同様に、図示はしないが、循環樋１５０の進入部１８の進入口は流路１５から僅かにずれた位置に形成され、その進入部１８には、進入部１８の一部を遮断して、遊技球が外部に排出されるのを遮断する球こぼれ防止手段としてのシャッター部材が設けられている。このシャッター部材は流路１５に沿った配置でバネ材を介して取り付けられており、研磨装置４００の非装着時には、流路１５と一体になって遊技球を流路１５の上流側から下流側に送ると共に、進入部１８の進入口の一部を遮断して外部に遊技球が排出されないようにするが、研磨装置４００の装着時には、研磨装置４００の送出片４３Ａに押されて進入部１８の排出口の遮断を解き、排出口４３からの遊技球の進入を妨害しないようになっている。
【００５６】
接続端子部６８は、研磨装置４００が循環樋１５０に取り付けられた状態で、循環樋１５０の接続端子部２３と電気的に接続されて、封入球式弾球遊技機１００側から、研磨装置４００の駆動装置（スプロケット５０の駆動装置４８や巻取りリール６６の駆動装置）や各センサ（球つまりセンサ５８や終端検出部７０）に電源を供給するとともに、各センサの検出信号を封入球式弾球遊技機１００側に出力するようになっている。
【００５７】
図７には、封入球循環制御装置３００とその周辺の回路構成のブロック図を示す。
【００５８】
封入球循環制御装置３００は（図２）、遊技盤１０４上の入賞口に流入した入賞球やアウト口に流入したアウト球をカウントするなど遊技上の制御を行う他、研磨装置４００に関する情報の報知制御などを行うもので、ＣＰＵ（central processing unit ）３１、ＲＡＭ（random access memory）３２、ＲＯＭ（read only memory）３３、クロック３４、（バックアップ）電源回路３５、および、Ｉ／Ｏインターフェース３６等から構成されている。
【００５９】
ＣＰＵ３１は、ＲＡＭ３２を作業領域にＲＯＭ３３中に書き込まれた制御プログラムに従って、各種演算処理を行うと共に、 Ｉ／Ｏインターフェース３６を介して接続された各装置および各スイッチと信号の送受信を行うようになっている。
【００６０】
ＲＯＭ３３には、アウト球やセーフ球のカウントなど遊技上の制御プログラムや制御データ、並びに、研磨装置４００に関する情報を報知する制御プログラムや制御データなどが書き込まれている。この制御プログラムについては後で詳述する。
【００６１】
Ｉ／Ｏインターフェース３６には、遊技のリセットを行うリセットスイッチ３１１、アウトセンサ１３５、セーフセンサ１３４、研磨装置情報報知装置１０８、接続端子部２３，６８を介して研磨装置４００の各センサ（球つまりセンサ５８や終端検出部７０）および循環樋１５０の研磨装置センサ２２、並びに、外部端子１７０が接続されている。
【００６２】
外部端子１７０は、複数の封入球式弾球遊技機１００，１００…を外部で集中的に管理する集中管理装置（図示略）や、島設備に設けられた島設備呼出装置などに信号の送受信を行うための端子であり、封入球式弾球遊技機１００の内枠１０３の裏側で、内枠１０３を支持するヒンジ部側の上方に設けられている。
【００６３】
この実施の形態の封入球式弾球遊技機１００は、上記のように構成され、循環樋１５０に着脱自在に取り付けられる研磨装置４００によって次のようにして遊技機を循環する遊技球を磨いていくと共に、封入球循環制御装置３００の制御により次のようにして研磨装置４００に関する情報の報知を行うようになっている。
【００６４】
封入球式弾球遊技機１００での遊技は、遊技者により操作レバー１１８が回動されることで、発射装置１３９が作動して、遊技盤１０４上の遊技領域に遊技球が発射されて行われる。
【００６５】
遊技領域に発射された遊技球は、遊技盤１０４上の入賞口に入賞したり、アウト口に流入したりする。入賞口に入賞した遊技球は、遊技盤１０４裏の球寄せ１２９によりセーフ球回収樋１３１に集められた後、セーフセンサ１３４を通過して循環樋１５０に流入する。一方、アウト口に流入した遊技球は、アウト球回収樋１３０に集められてアウトセンサ１３５を通過した後、循環樋１５０に流入する。
【００６６】
セーフセンサ１３４を１個の遊技球が通過すると、セーフセンサ１３４から１個の遊技球が通過したことを示す検出信号が出力されて封入球循環制御装置３００に入力される。封入球循環制御装置３００に該検出信号が入力されると、ＣＰＵ３１によりＲＡＭ３２中のセーフカウンタ（獲得球数が記憶されている。）に「１」が加算されて、記憶更新される。そして、このセーフカウンタの値のデータが出力されて例えば表示部１１３に出力されたりする。
【００６７】
一方、アウトセンサ１３５を１個の遊技球が通過すると、アウトセンサ１３５から１個の遊技球が通過したことを示す検出信号が出力されて封入球循環制御装置３００に入力される。封入球循環制御装置３００に該検出信号が入力されると、ＣＰＵ３１によりＲＡＭ３２中のアウトカウンタ（失点が記憶されている。）に「１」が加算されて、記憶更新される。そして、このアウトカウンタの値のデータが出力されて例えば表示部１１３に出力されたりする。
【００６８】
セーフ球回収樋１３１或いはアウト球回収樋１３０から循環樋１５０に流入した遊技球は、循環樋１５０に設けられた流路１５を通って球送り装置１３７まで送られる。
【００６９】
まず、研磨装置４００が循環樋１５０に取り付けられてない場合について説明する。この場合には、流路１５を通過する遊技球は何らの阻害（例えば排出部１７や進入部１８から遊技球が外部にもれるなど）も加えられずに球送り装置１３７まで送られる。
【００７０】
遊技中、研磨装置４００が循環樋１５０に取り付けられてない場合には、循環樋１５０に設けられた研磨装置検出センサ２２が研磨装置４００の不在を検出して、研磨装置４００の不在を示す信号を封入球循環制御装置３００に入力する。そして、該入力信号に基づき、封入球循環制御装置３００から研磨装置情報報知装置１０８に所定の信号出力が行われて、研磨装置情報報知装置１０８から所定の態様（例えば所定の点灯出力や所定の音（音声）出力）で報知出力が行われ、研磨装置４００が取り付けられてないことが報知される。また、上記入力信号に基づいて外部端子１７０を介して例えば集中管理装置や島設備の呼び出し装置などに所定の信号出力が行われて、研磨装置４００が取り付けられてないことが報知される。
【００７１】
次に研磨装置４００が循環樋１５０に取り付けられている場合について説明する。
【００７２】
研磨装置４００が循環樋１５０に取り付けられている場合には、流入路１５を通過する遊技球は、流路１５の排出部１７において導入片４２Ａに導びかれて研磨装置４００の流入経路４５に流入する。
【００７３】
流入経路４５に流入した遊技球は、流入経路４５の途中でスプロケット５０の収容部５０ａに１個ずつ収容され、該スプロケット５０の回転駆動により研磨布６２の上を研磨されながら移動して、流入経路４５の上流側から下流側に送られる。つまり、ここで遊技球の球磨きが行われる。
【００７４】
スプロケット５０を過ぎた遊技球は研磨装置４００の排出口４３を介して進入部１８から循環樋１５０の流路１５中に戻される。そして、研磨装置４００の送出片４３Ａに沿って流路１５の下流側に送出され、球送り装置１３７まで送られる。
【００７５】
球送り装置１３７に送られた遊技球は、再び発射位置に送られるのを待った後、発射位置に送られるとともに発射装置に弾発されて再び遊技領域に発射される。そして、上記と同様の循環を行う。
【００７６】
遊技中、研磨装置４００で球つまりが生じた場合には、球つまり検出センサが球つまりを検出して、球つまりを示す信号を封入球循環制御装置３００に入力する。そして、該入力信号に基づき、封入球循環制御装置３００から研磨装置情報報知装置１０８に所定の信号出力が行われて、研磨装置情報報知装置１０８から所定の態様（例えば所定の点灯出力や所定の音（音声）出力）で報知出力が行われ、研磨装置４００での球つまり発生が報知される。また、上記入力信号に基づいて外部端子１７０を介して例えば集中管理装置や島設備の呼び出し装置などに所定の信号出力が行われて、研磨装置４００での球つまり発生が報知される。
【００７７】
また、研磨装置４００が取り付けられている間は、研磨布６２を巻き取る巻取りリール６６が低速で回転し、リール６７に巻かれた研磨布６２が少量ずつ巻き取りリール６６側に移動するが（この移動により研磨布６２の新面が繰り出されることとなって一定の研磨作用が得られる。）、リール６７に巻かれた研磨布６２が無くなった場合には、終端検出部７０により研磨布６２が尽きたことが検出され、研磨布６２が尽きたことを示す信号が封入球循環制御装置３００に入力される。そして、該入力信号に基づき、封入球循環制御装置３００から研磨装置情報報知装置１０８に所定の信号出力が行われて、研磨装置情報報知装置１０８から所定の態様（例えば所定の点灯出力や所定の音（音声）出力）で報知出力が行われ、研磨装置４００の研磨布６２の取り替え時期であることが報知される。また、上記入力信号に基づいて外部端子１７０を介して例えば集中管理装置や島設備の呼び出し装置などに所定の信号出力が行われて、研磨装置４００の研磨布６２の取り替え時期であることが報知される。
【００７８】
図８には、封入球循環制御装置３００により行われる制御処理（封入球循環装置制御処理）の手順のフローチャートを示す。
【００７９】
この制御処理は、例えば２ｍ秒などの短い間隔で生成されるリセット信号に基づき、ステップＳ１〜Ｓ１０までの１シーケンスの処理が行われるようになっている。
【００８０】
この封入球循環装置制御処理が開始されると、先ず、ステップＳ１で電源の投入時か否かの判定を行い、電源投入時であれば、ステップＳ５に移行して初期設定などを行う電源投入処理をした後、この制御処理の１シーケンスの処理を終了してステップＳ１０で次のリセット信号の入力を待機する。が、電源投入時でなければステップＳ２に移行する。
【００８１】
ステップＳ２では、封入球循環制御装置３００のＩ／Ｏインターフェース３６に接続されたリセットスイッチ３１１、アウトセンサ１３５、セーフセンサ１３４、研磨装置４００の球つまり検出センサ５８、終端検出部７０、研磨装置検出センサ２２からの出力信号の入力を行って、ＲＡＭ３２中の所定の記憶領域に記憶させる信号入力処理、並びに、ＲＡＭ３２中の所定の記憶領域に記憶してある出力信号データ（セーフセンサ１３４の検出に基づく入賞球１個の発生を示す賞球データ、アウトセンサ１３５の検出出力に基づくアウト球１個の発生を示すアウトデータ、終端検出部７０の検出に基づく研磨装置交換時期データ、研磨装置検出センサ２２の検出に基づく研磨装置有無データ、球つまり検出センサ５８の検出に基づく球つまりデータ、球つまり検出センサ５８の検出に基づき遊技の停止を指示する遊技停止データなど）に基づく、賞球信号、アウト信号、研磨装置有無信号、球つまり信号、並びに、遊技停止信号等を、外部端子１７０を介して外部に出力すると共に、ＲＡＭ３２中の研磨装置情報の報知データに基づき研磨装置情報報知装置１０８に所定の信号出力を行う信号出力処理を行ってステップＳ３に移行する。
【００８２】
ステップＳ３では、ステップＳ２で入力したリセットスイッチ３１１からの出力信号が、ＯＮ信号である場合にステップＳ５に移行して、先に説明したステップＳ５の電源投入処理を行ってこの制御処理の１シーケンスの処理を終了するが、ＯＮ信号でない場合はステップＳ４に移行する。
【００８３】
ステップＳ４では、封入球の交換に関する封入球交換処理を行ってステップＳ６に移行する。
【００８４】
ステップＳ６では、封入球式弾球遊技機１００に異常が発生したか否かの判別を行い異常発生であれは、ステップＳ７に移行して異常を報知する異常報知処理を行うが、異常がなければ、順次、ステップＳ８のセーフ・アウト信号処理のサブルーチン処理、ステップＳ９の研磨装置処理のサブルーチン処理を行ったのち、この制御処理の１シーケンスの処理を終了し、ステップＳ１０で次のリセット信号の入力を待機する。
【００８５】
図９には、図８のステップＳ８において行われるセーフ・アウト信号処理のサブルーチン処理のフローチャートを示す。
【００８６】
このセーフ・アウト信号処理が開始されると、先ず、ステップＳ２０において、図８のステップＳ２で入力したセーフセンサ１３４からの検出信号がＯＮ信号であるか否かの判定を行い、ＯＮ信号であればステップＳ２１に移行して、ＲＡＭ３２中のセーフカウンター（遊技での獲得球数を記憶している。）に「１」加算して記憶更新する処理をしてステップＳ２２に移行する。が、ＯＮ信号でなければそのままステップＳ２２に移行する。
【００８７】
ステップＳ２２では、図８のステップＳ２で入力したアウトセンサ１３５からの検出信号がＯＮ信号であるか否かの判定を行い、ＯＮ信号であればステップＳ２３に移行して、ＲＡＭ３２中のアウトカウンター（遊技での失点を記憶している。）に「１」加算して記憶更新する処理をしてこのサブルーチンを終了する。が、ＯＮ信号でなければそのままこのサブルーチンを終了し、図８の制御処理の元のステップに移行する。
【００８８】
図１０には、図８のステップＳ９において行われる研磨装置処理のサブルーチン処理のフローチャートを示す。
【００８９】
この研磨装置処理が開始されると、先ず、ステップＳ３０において、図８のステップＳ２で入力した研磨装置検出センサ２２からの検出信号がＯＮ信号か否かを判定し、ＯＮ信号であればステップＳ３３に移行し、ＯＮ信号でなければステップＳ３１に移行する。
【００９０】
ステップＳ３３に移行した場合には、該ステップにおいて、図８のステップＳ２で入力した球つまりセンサ５８の検出信号がＯＮ信号であるか否かの判定を行い、ＯＮ信号であれば、ステップＳ３５に移行するが、ＯＮ信号でなければ、ステップＳ３４に移行する。
【００９１】
ステップＳ３４に移行した場合には、該ステップにおいて、図８のステップＳ２で入力した終端検出部７０の検出信号がＯＮ信号であるか否かの判定を行い、ＯＮ信号であれば、ステップＳ３８に移行するが、ＯＮ信号でなければこのサブルーチンを終了する。
【００９２】
上記ステップＳ３０，Ｓ３３，Ｓ３４の判別処理の結果、研磨装置検出センサ２２がＯＮでステップＳ３１に移行した場合には、ステップＳ２の入出力信号処理で、研磨装置情報報知装置１０８へ研磨装置４００が取り付けられていないことを示す報知信号を出力すべく、ＲＡＭ３２中の所定のデータ領域（出力信号データを記憶する領域）に、上記の報知信号出力に対応したデータを入力する処理をしてステップＳ３２に移行する。
【００９３】
ステップＳ３２では、ステップＳ２の入出力信号処理で、外部端子１７０を介して集中管理装置へ研磨装置４００が取り付けられていないことを示す情報信号を出力すべく、ＲＡＭ３２中の所定のデータ領域（出力信号データを記憶する領域）に、上記の情報信号出力に対応したデータを入力する処理をしてこのサブルーチンを終了する。
【００９４】
上記ステップＳ３０，Ｓ３３，Ｓ３４の判別処理の結果、球つまりセンサ５８がＯＮでステップＳ３５に移行した場合には、順次、発射装置１３９を停止させる等の遊技停止処理（ステップＳ３５）、ステップＳ２の入出力信号処理で研磨装置情報報知装置１０８へ球つまりの発生を示す報知信号を出力すべく、ＲＡＭ３２中の所定のデータ領域（出力信号データを記憶する領域）に、上記の報知信号出力に対応したデータを入力する処理（ステップＳ３６）、ステップＳ２の入出力信号処理で外部端子１７０を介して集中管理装置へ球つまりが発生したことを示す情報信号を出力すべく、ＲＡＭ３２中の所定のデータ領域（出力信号データを記憶する領域）に、上記の情報信号出力に対応したデータを入力する処理（ステップＳ３７）をしてこのサブルーチンを終了する。
【００９５】
上記ステップＳ３０，Ｓ３３，Ｓ３４の判別処理の結果、終端検出部７０がＯＮでステップＳ３８に移行した場合には、該ステップにおいて、ステップＳ２の入出力信号処理で研磨装置情報報知装置１０８へ研磨布６２の交換時期を示す報知信号を出力すべく、ＲＡＭ３２中の所定のデータ領域（出力信号データを記憶する領域）に、上記の報知信号出力に対応したデータを入力する処理をして、このサブルーチンを終了して、図８の制御処理の元のステップに移行する。
【００９６】
つまり、この研磨装置処理のサブルーチン処理により、研磨装置４００に関わる情報の報知出力制御が行われている。
【００９７】
以上のように、この実施の形態の封入球式弾球遊技機１００によれば、研磨装置４００を封入球式弾球遊技機１００の流路１５の所定区間近傍に取り付けることで、封入球式弾球遊技機１００単体での研磨、並びに、遊技中に遊技球の研磨が可能となる。一方、研磨装置４００を封入球式弾球遊技機１００から取り外すことで、遊技球を研磨しないで遊技球を循環できる。つまり、弾球遊技機１００単体でも遊技球の研磨が可能であると共に、研磨装置４００を取り外すことで遊技球の研磨が必要ない場合にも対応可能である。従って、例えば、従来の遊技球を弾球遊技機から取り出し搬送して研磨装置にかけるといった繁雑な作業を行うことなく、且つ、営業時間中であっても遊技球の研磨が可能となり大変便利である。また、研磨装置４００は取り外し可能で遊技球の研磨が行われないようにも出来るので、研磨の過剰を回避することが可能となり、この封入球式弾球遊技機１００のように要求される研磨回数が少ない遊技機に対して特に有用である。
【００９８】
また、研磨装置４００を取り付ける際に、弾球遊技機１００の流路１５の所定区間を取り外すことなく、該流路１５の所定区間に研磨装置４００の流入経路４５を割り込ませることが出来る。従って、流路１５の所定区間を取り外し、この区間に研磨装置の流入経路４５を挿入する形式のものに比べて、研磨装置４００着脱の作業性が向上し、且つ、取り外す部材が無いので、着脱の前後で取り外した部材（流路の所定区間の部分）を紛失してしまうなどの不手際も生じにくい。
【００９９】
また、球こぼれ防止手段としてのシャッター部材１７Ａ，１８Ａにより、研磨装置４００の取り付け取り外し時に流路１５からの遊技球のこぼれが防止されるので、流路１５に遊技球が流れている時、即ち、封入球式弾球遊技機１００で遊技が行われている最中であっても、研磨装置４００の取り付け取り外しが可能となる。従って、遊技中に研磨装置４００を交換する場合でも、遊技者に遊技を一旦中断させるといった煩わしさを与えずに交換することが可能となる。
【０１００】
また、研磨布６２の終わりを検出する終端検出部７０により、常に一定した研磨布６２の交換時期が報知されるので、研磨布６２の交換管理が容易に行える。
【０１０１】
また、球つまりセンサ５８によって研磨装置４００内での球つまりが検出され、この球つまりが報知されるので、球つまりが生じたときに、即時の原因究明および問題解決に役立つ。また、研磨装置４００内で球つまりが発生した場合には、研磨装置４００を取り外すことで球つまりを解消することが出来る。
【０１０２】
また、研磨装置検出センサ２２によって研磨装置４００の有無が検出され、研磨装置情報報知装置１０８により研磨装置４００の有無が報知されるので、研磨装置４００が取り付けられていることを忘れて遊技球を過剰に研磨したり、また、研磨する必要があるときに研磨装置４００が取り付けられていると勘違いして、必要な研磨処理が行われなかったりといった不手際が解消される。また、わざわざ取り付け箇所を見なくても研磨装置４００が取り付けられているか否かが確認できて便利である。
【０１０３】
また、循環樋１５０側の接続端子部２３と研磨装置４００側の接続端子部６８との電気的接続により、封入球式弾球遊技機１００の本体側から研磨装置４００への電源供給、研磨装置４００の検出センサ（球つまりセンサ５８や終端センサ７０）などからの信号入力など、様々な電気的な接続が可能となり、研磨装置４００に関わる様々な制御が可能となる。また、封入球式弾球遊技機１００を外部で管理する集中管理装置に、研磨装置４００に関する研磨装置情報が出力可能なので、複数台の封入球式弾球遊技機１００，１００…を備えた遊技店などにおいて、複数の封入球式弾球遊技機１００，１００…の研磨装置４００，４００…の管理を一括して行うことが可能となる。
【０１０４】
なお、本発明は、この実施の形態の封入球式弾球遊技機１００に限られるものでなく、例えば、弾球遊技機として、パチンコ遊技機、パチコン機、アレンジボール遊技機又は雀球遊技機など、封入球式でない弾球遊技機にも適用可能であるし、研磨装置の着脱可能な取付け構造や流入経路中での研磨方法など、細部構造および方法等は、発明の主旨を逸脱しない範囲で様々に変更可能である。また、研磨装置４００に関するデータを扱う制御装置は、例えば、封入球循環制御装置３００に備わる他、パチンコ遊技機などで遊技制御を行っている役物制御回路や球の排出や発射等の処理を行う球排出発射制御回路などに行わせても良い。また、研磨装置４００の取付け位置は、遊技機の裏側のほか、遊技機の表側に設けても良い。
【０１０５】
［その他の実施の形態▲１▼］
図１１には、研磨装置の着脱可能な取付け構造のその他の例を示す分解斜視図を、図１２には、図１１における鎖線Ｈの部分の拡大正面図を、図１３（ａ）には図１１における鎖線Ｈの部分の側方図を、図１３（ｂ）には研磨装置４００が取り付けられた状態の側方図を示す。
【０１０６】
研磨装置の着脱可能な取付け構造は、先の実施の形態のものに限られず、図１１に示すような構造としても良い。図１１〜図１３中、先の実施の形態と同様の構成については同符号を振り説明を省略する。また、弾球遊技機のその他の部位は先の実施の形態のものと同様のものである。図中、１５０Ｚは循環樋、１５０Ｙは挿入凹室、４００Ｚは研磨装置、１５１Ｚは流路分離ユニットである。
【０１０７】
この研磨装置４００Ｚの取付け構造は、循環樋１５０Ｚの所定の領域に分離可能な流路分離ユニット１５１Ｚを設ける一方、この流路分離ユニット１５１Ｚと同形、同寸の研磨装置４００Ｚを設け、前記流路分離ユニット１５１Ｚと研磨装置４００Ｚとを入れ替えることで、研磨装置４００Ｚを着脱させるものである。
【０１０８】
研磨装置４００Ｚには、流路分離ユニット１５１Ｚと同等の位置に遊技球の通過口（導入口４２Ｚ、排出口４３Ｚ）が設けられ、これら導入口４２Ｚ、排出口４３Ｚを上流と下流に備えた流入経路４５Ｚを通過する遊技球を研磨するようになっている。
【０１０９】
図１２、図１３にも示すように、流路分離ユニット１５１Ｚに近い循環樋１５０Ｚの上流側の流路には（図１１中、鎖線Ｈの部位）、球こぼれ防止手段としてのシャッター部材８２がバネ材８４を介して取付けら、また、このシャッター部材８２の一部に通じる切溝８０が設けられている。シャッター部材８２は、枠部材８３ａ，８３ｂに保持され、該枠部材８３ａ，８３ｂに沿ってシャッター部材８２が前後に移動可能になっている。バネ材８４は、シャッター部材８２が押された状態で接する面よりくぼんだ凹部８４ａに取り付けられ、シャッター部材８２が押された状態でバネ材８４がこの凹部８４ａ内に逃げるようになっている。
【０１１０】
研磨装置４００Ｚや流路分離ユニット１５１Ｚには、前記切溝８０に対応する位置に該切溝８０に挿入可能な挿入片８７が設けられている。
【０１１１】
このような構成の取付け構造によれば、研磨装置４００Ｚや流路分離ユニット１５１Ｚが循環樋１５０Ｚから取り外された状態で、シャッター部材８２が流路１５の一部を遮断し遊技球を通過不可とする（図１３（ａ））。が、研磨装置４００Ｚや流路分離ユニット１５１Ｚを取り付けることで、研磨装置４００Ｚや流路分離ユニット１５１Ｚの挿入片８７が切溝８０に挿入されてシャッター部材８２を押す。そして、流路１５が遊技球が通過可能な状態に開放されて、循環樋１５０Ｚの流路１５と研磨装置４００Ｚの流入経路４５Ｚ、流路分離ユニット１５１Ｚの流路１５と流路分離ユニット１５１Ｚの流路１５Ｚとが連通される（図１３（ｂ））。
【０１１２】
以上のように、この実施の形態の封入球式弾球遊技機によれば、研磨装置４００Ｚと流路分離ユニット１５１Ｚとが同形・同寸になっているので、研磨装置４００Ｚを取り付けたときと取り付けないときとで、遊技機の外部形状が変化しない（研磨装置４００Ｚが膨出したりしない）ので、配線の入り組んだ箇所や膨出するスペースがない箇所であっても研磨装置４００Ｚを取り付けることが出来る。
【０１１３】
また、シャッター部材８２が、研磨装置４００Ｚの取り外し時に流路から球がこぼれるのを防止するので、遊技中でも研磨装置４００Ｚが着脱可能となり便利である。
【０１１４】
なお、研磨装置４００Ｚの取付けは、例えば、ネジ止着による着脱可能な取付け、係止爪を有する係止片を該係止爪を掛け止め可能な係合部に挿入することで取り付けられる着脱可能な取付け、ビス止による着脱可能な取付け、或いは、所謂ナイラッチなどのワンタッチで取付け取り外し可能な取付けなど、様々な形式が適用可能である。
【０１１５】
［その他の実施の形態▲２▼］
図１４には、弾球遊技機の流路１５において遊技球を外部に排出可能な排出部および外部から進入可能な進入部のその他の例の模式図を示す。
【０１１６】
弾球遊技機の流路１５において遊技球を外部に排出可能な排出部および外部から遊技球を進入可能とする進入部の構成は、先の実施の形態のものに限られず、図１４に示すような構成としても良い。図中、１５０は循環樋、１５，１５ｆ，１５は流路、９０，９１は切換器、９２は排出路、９３は進入路、９２ｅは排出口、９３ｉは進入口である。切換器９０、排出路９２および排出口９２ｅが排出部を構成し、切換器９１、進入路９３および進入口９３ｉが進入部を構成している。
【０１１７】
この構成の進入部および排出部を備えた弾球遊技機では、研磨装置４００ｆはその導入口４２ｆが上記排出口９２ｅに重なり、且つ、研磨装置４００ｆの排出口４３ｆが上記進入口９３ｉと重なるように取り付けられる。
【０１１８】
このような構成の進入部および排出部によれば、研磨装置４００ｆが取り付けられてない場合に、切換器９０，９１が流路１５，１５ｆ，１５を連通させる状態に開いているが、研磨装置４００ｆが取り付けられた場合に、切換器９０，９１が切り替わって、上流の流路１５、排出路９２、研磨装置４００ｆの流通経路、進入路９３、下流の流路１５が連通するようになっている。この切換器の変換は、研磨装置４００ｆの取付けにより自動的に切り替わるようにしても良いし、研磨装置４００ｆの取付けとは独立して切換可能にしても良い。
【０１１９】
この実施の形態の弾球遊技機によれば、切換器９０，９１の切り換えにより、遊技球を研磨装置４００ｆに通して循環させたり、遊技球を研磨装置４００ｆに通さずに循環させたりできるので、例えば、研磨装置を取り付けたまま研磨を行わないように出来て都合が良い。
【０１２０】
なお、研磨装置４００ｆの取付けは、例えば、ネジ止着による着脱可能な取付け、係止爪を有する係止片を該係止爪を掛け止め可能な係合部に挿入することで取り付けられる着脱可能な取付け、ビス止による着脱可能な取付け、或いは、所謂ナイラッチなどのワンタッチで取付け取り外し可能な取付けなど、様々な形式が適用可能である。
また、上記交換時期検出手段の検出方法は、研磨装置が取り付けられている延べの時間をカウントして所定時間に達したことで検出する方法、研磨装置の流入経路を通過した遊技球の個数をカウントして所定個に達したことで検出する方法、遊技球を研磨する研磨手段の表面を検査して検出する方法（例えば光を当てて反射光や透過光の光量で検出する方法）、長い帯状の研磨部材を２つのロールに巻き付けて一方から他方のロールに送りながら研磨する研磨手段の場合、ロールに巻き付いた研磨部材の厚みにより検出する方法、帯状の研磨部材の終端近辺に検出可能な印を設けておきこの印により検出する方法など、種々の検出方法が可能である。報知手段は、ランプ、表示装置、音響装置および動作体などによる点灯報知、映像又は文字出力、音或いは音声出力、並びに、動作駆動などにより可能である。報知手段が設けられる箇所は、弾球遊技機の正面側、裏面側、および、その周辺、島設備の任意箇所、外部で弾球遊技機を管理する管理装置など、その場所は限定されるものではない。
また、上記第１電気的接続部と第２電気的接続部とで接続される配線内容は、電源供給線、検出手段からの検出出力線、並びに、データ信号を送受信するデータ信号線など、その内容には限定されるものではない。
【０１２１】
【発明の効果】
請求項１記載の発明によれば、研磨装置を弾球遊技機の流路の所定区間近傍に取り付けることで、弾球遊技機単体での研磨、並びに、遊技中に遊技球の研磨が可能となる。一方、研磨装置を弾球遊技機から取り外すことで、遊技球を研磨しないで遊技球を循環できる。つまり、弾球遊技機単体でも遊技球の研磨が可能であると共に、研磨装置を取り外して遊技球の研磨が必要ない場合にも対応可能である。従って、例えば、単独島に設置される弾球遊技機や封入球式弾球遊技機に適用すれば、従来の遊技球を弾球遊技機から取り出し搬送して研磨装置にかけるといった繁雑な作業を行うことなく、且つ、営業時間中であっても遊技球の研磨が可能となり大変便利である。また、研磨装置は取り外し可能で遊技球の研磨が行われないようにも出来るので、研磨の過剰を回避することが可能となり、例えば、封入球式弾球遊技機など要求される研磨回数が少ない遊技機に対しても有用である。
【０１２３】
また、球こぼれ防止手段により、研磨装置の取り付け取り外し時に流路からの遊技球のこぼれが防止されるので、流路に遊技球が流れている時、即ち、弾球遊技機で遊技が行われている最中であっても、研磨装置の取り付け取り外しが可能となる。従って、遊技中の研磨装置を交換する場合でも、遊技者に遊技を一旦中断させるといった煩わしさを与えずに交換することが可能となる。
【図面の簡単な説明】
【図１】本発明の実施の形態の封入球式弾球遊技機を示す正面斜視図である。
【図２】図１の封入球式弾球遊技機の裏機構を示す裏面図である。
【図３】研磨装置が循環樋から分離された状態を示す分離斜視図である。
【図４】研磨装置の取付け構造の詳細を示す分解斜視図である。
【図５】循環樋上の排出部および研磨装置の導入部の詳細を示すもので、（ａ）はそれらを正面側からみた配置関係を示す正面図、（ｂ）は研磨装置が分離した状態の側方図、（ｃ）は研磨装置が取り付けられた状態の側方図である。
【図６】研磨装置内に設けられた研磨手段の詳細を示す正面図である。
【図７】封入球式弾球遊技機の裏側に設けられている封入球循環制御装置と周辺機器との回路構成の概略を示すブロック図である。
【図８】封入球循環制御装置により行われる制御処理の手順を示すフローチャートである。
【図９】図８の制御処理のステップＳ８で行われるセーフ・アウト信号処理のサブルーチン処理の手順を示すフローチャートである。
【図１０】図８の制御処理のステップＳ９で行われる研磨装置処理のサブルーチン処理の手順を示すフローチャートである。
【図１１】研磨装置の取付け構造のその他の例を示す分解斜視図である。
【図１２】図１１の流路における排出部の周辺Ｈの詳細を示す正面図である。
【図１３】図１１の流路における排出部の周辺Ｈの詳細を示すもので、（ａ）は研磨装置が分離した状態を示す側方図、（ｂ）は研磨装置が取り付けられた状態を示す側方図である。
【図１４】弾球遊技機の流路において遊技球を外部に排出可能な排出部および外部から進入可能な進入部のその他の例を示す模式図である。
【符号の説明】
１００          封入球式弾球遊技機
１０４          遊技盤
１０８          研磨装置情報報知装置
１１８          操作レバー
１２９          球寄せ
１３０          アウト球回収樋
１３１          セーフ球回収樋
１５０          循環樋
１７０          外部端子（研磨装置情報出力手段）
３００          封入球循環制御装置
４００          研磨装置
１５          流路
１７          排出部
１８          進入部
１７Ａ        シャッター部材
２２          研磨装置検出センサ
４２          導入口
４２Ａ        導入片
４３          排出口
４３Ａ        送出片
４５          流入経路
５０          スプロケット
５８          球つまりセンサ
５９，５９    取付け片
６２          研磨布（研磨手段）
７０          終端検出部（研磨手段交換時期検出手段）
１５０Ｚ      循環樋（その他の実施の形態▲１▼）
１７Ｚ        排出口
１８Ｚ        進入口
４００Ｚ      研磨装置
４２Ｚ        導入口
４３Ｚ        排出口
８２          シャッター部材
９０，９１    切換器（シャッター手段）
９２          排出路（排出部を構成している。）
９３          進入路（進入部を構成している。）
４００ｆ      研磨装置
４２ｆ        導入口
４３ｆ        排出口
【図１】
0003990765.tif 000002
【図２】
0003990765.tif 000003
【図３】
0003990765.tif 000004
【図４】
0003990765.tif 000005
【図５】
0003990765.tif 000006
【図６】
0003990765.tif 000007
【図７】
0003990765.tif 000008
【図８】
0003990765.tif 000009
【図９】
0003990765.tif 000010
【図１０】
0003990765.tif 000011
【図１１】
0003990765.tif 000012
【図１２】
0003990765.tif 000013
【図１３】
0003990765.tif 000014
【図１４】
0003990765.tif 000015